(57)【特許請求の範囲】
【請求項１】
乳児を寝かせた状態で支持するための支持具と、その支持具の頭部支持側となる前端部及び脚部支持側となる後端部を吊り下げ支持する肩ベルトと、を備え、前記支持具には、
前記乳児を寝かせるためのマット部が設けられ、そのマット部内には乳児の支持荷重に抗してマット部の形状を保持するための芯材として背板が設けられた子守帯において、
前記背板には、乳児の背を支持する背支持面を有する背支持部と、乳児の頭部を支持する頭支持部と、が設けられ、前記頭支持部には、乳児の後頭部を前記背支持面よりも後退した位置で保持する保持部が設けられ、
前記保持部には、前記乳児の後頭部が落とし込まれる孔部が設けられている子守帯。
【請求項２】
前記保持部には、前記乳児の頭部の自重により変形可能な支え部が設けられている請求項１に記載の子守帯。
【請求項３】
前記支え部として、前記孔部を覆う、弾力性を有するクッション部材を備えた請求項１又は２に記載の子守帯。
【請求項４】
前記クッション部材には、スリットが設けられている請求項３に記載の子守帯。
【請求項５】
前記クッション部材が、ウレタンである請求項３又は４に記載の子守帯。
【発明の詳細な説明】
【技術分野】
【０００１】
本発明は、乳児を横抱き姿勢で吊り下げ支持できるようにした子守帯に関する。
【背景技術】
【０００２】
乳児を支持具上にほぼ水平に寝かせた状態でその支持具を使用者の肩からベルトにて吊り下げ支持するようにした子守帯において、支持具の内部にポリプロピレン等の樹脂にて構成された芯材を配置して支持具の形状保持を図る技術が知られている（例えば特許文献１参照。）。
【先行技術文献】
【特許文献】
【０００３】
【特許文献１】特開２００５−２３０１０７号公報
【発明の概要】
【発明が解決しようとする課題】
【０００４】
首のすわっていない乳児を横抱き状態で吊り下げ支持する場合、乳児を背面側から支持するマット部を支持具に設け、そのマット部に上述した芯材として背板を内蔵させている。この背板がほぼ平坦な形状であると、乳児の頭部を安定して保持することができないおそれがある。
【０００５】
そこで、本発明は乳児の頭部を安定して保持することができる子守帯を提供することを目的とする。
【課題を解決するための手段】
【０００６】
本発明の子守帯は、乳児（１１０）を寝かせた状態で支持するための支持具（２）と、その支持具の頭部支持側となる前端部（２ａ）及び脚部支持側となる後端部（２ｂ）を吊り下げ支持する肩ベルト（３）と、を備え、前記支持具には、前記乳児を寝かせるためのマット部（４）が設けられ、そのマット部内には乳児の支持荷重に抗してマット部の形状を保持するための芯材として背板（１０、１０Ａ）が設けられた子守帯（１）において、前記背板には、乳児の背（１１２）を支持する背支持面（１１ａ）を有する背支持部（１１）と、乳児の頭部（１１１）を支持する頭支持部（１２）と、が設けられ、前記頭支持部には、乳児の後頭部（１１１ａ）を前記背支持面よりも後退した位置で保持する保持部（１４）が設けられ、前記保持部には、前記乳児の後頭部が落とし込まれる孔部（１２ａ）が設けられていることにより上記課題を解決する。
【０００７】
本発明の子守帯によれば、乳児をマット部に寝かせたときに乳児の頭部が背板の頭支持部に支持される。このとき、乳児の後頭部が保持部により背支持面よりも後退した位置で保持されるので、乳児の頭部が安定する。従って、乳児の頚椎にかかる負荷を低減することができる。また、乳児の頭部が自重により孔部に嵌まることで、頭部がぐらつかずに安定する。また、子守帯の使用者にとっては、乳児の頭部をマット部の下面側から支えたときに乳児の後頭部の感触が手に伝わることで、乳児の存在を確認でき、安心感が得られる。
【０００８】
本発明の子守帯の一形態において、前記保持部には、前記乳児の頭部の自重により変形可能な支え部（１５、２１）が設けられていてもよい。この形態によれば、乳児の頭部が保持部に位置したときに支え部が変形しながら乳児の後頭部を保持するので乳児の頭部が安定する。
【００１０】
本発明の子守帯の一形態において、前記孔部を覆う、弾力性を有するクッション部材（１５）を備えてもよい。この形態によれば、クッション部材を設けることにより、乳児の頭部が柔らかな感触に包まれ、後頭部への底付き感をなくすことができる。
【００１１】
本発明の子守帯の一形態において、前記クッション部材には、スリット（１５ａ）が設けられていてもよい。この形態によれば、乳児の頭部が保持部に位置したときに頭部の自重により適度にスリットが開きつつ、後頭部がクッション部材により保持される。従って、後頭部への底付き感をなくし、かつ頭部を安定して保持できる。さらに、前記クッション部材がウレタンであってもよい。
【００１２】
なお、以上の説明では本発明の理解を容易にするために添付図面の参照符号を括弧書きにて付記したが、それにより本発明が図示の形態に限定されるものではない。
【発明の効果】
【００１３】
以上、説明したように、本発明の子守帯においては、乳児をマット部に寝かせたときに乳児の頭部が背板の頭支持部に支持される。このとき、乳児の後頭部が保持部により背支持面よりも後退した位置で保持されるので、乳児の頭部が安定する。従って、乳児の頚椎にかかる負荷を低減することができる。
【図面の簡単な説明】
【００１４】
【図１】本発明の一形態に係る子守帯の斜視図。
【図２】子守帯の使用時の様子を示す図。
【図３】背板の上面図。
【図４】背板の側面図。
【図５】頭支持板の使用状態を説明する図。
【図６】本発明の変形例に係る子守帯の背板の上面図。
【発明を実施するための形態】
【００１５】
図１に本発明の一形態に係る子守帯の斜視図を示す。子守帯１は、子守帯１は幼児を寝かせた状態で支持するための支持具２と、その支持具２の頭部支持側となる前端部２ａ及び脚部支持側となる後端部２ｂとを吊り下げ支持する肩ベルト３とを備えている。支持具２は幼児が横たわるマット部４を有し、そのマット部４の前縁４ａには乳児の頭部を取り囲むためのヘッドガード５が設けられている。また、マット部４の左右の側縁４ｃにはそれぞれ略三角形状のサイドパッド（側方支持部）６が設けられている。さらに、左右のサイドパッド６の間には腹当てパッド７が配置され、その基部７ａはマット部４の後縁４ｂよりも幾らか前方に離れた位置に縫い付け等の手段により接合されている。ヘッドガード５とサイドパッド６との間には、授乳用の開口部８が設けられている。これらマット部４、ヘッドガード５、サイドパッド６及び腹当てパッド７はいずれも適当な内装材を布製の表皮材にて覆って形成されている。内装材や表皮材は子守帯１の各部の用途や機能に応じて適宜に変更される。
【００１６】
マット部４は、本体部４Ａと脚支持部４Ｂとを備えている。図２に示したように、本体部４Ａは乳児１１０の頭部から臀部までを支持し、脚支持部４Ｂは乳児１１０の脚部１１３を支持する。各部４Ａ、４Ｂの上面側の表皮材には、通気性を考慮してメッシュ生地が好適に用いられる。各部４Ａ、４Ｂの内部には、ウレタン等のクッション材が内装材として配置されている。
【００１７】
マット部４の内部には、クッション材とは別のさらなる内装材として、マット部４の形状を保持するための芯材として機能する背板１０が内蔵されている。図３に背板１０の上面図、図４に背板１０の側面図をそれぞれ示す。背板１０はポリプロピレン等の熱可塑性樹脂を素材とする成形品である。背板１０は、乳児１１０の背としての背部１１２を支持する背支持面１１ａを有する背支持部としての背支持板１１と、乳児１１０の頭部１１１を支持する頭支持部としての頭支持板１２と、脚支持部４Ｂの形状を保持する脚支持板１３とが設けられている。背板１０には、乳児１１０を支持する際の負荷に対してほぼ元の形状を維持できる程度の剛性が付与されている。背支持板１１は平坦な形状で、背支持面１１ａのほぼ全面には、複数の通気孔１１ｂが設けられている。通気孔１１ｂは、マット部４の通気性を改善する。
【００１８】
頭支持板１２は、背支持面１１ａの一端側を延長して設けられる円形状の板である。頭支持板１２の中央には、乳児１１０の頭部１１１を保持する保持部１４が設けられている。保持部１４は、頭支持板１２に設けられた孔部１２ａと、頭支持板１２の上面、つまり乳児１１０が寝る側の面に設けられた乳児１１０の頭部１１１を支持する支え部としてのクッション部材１５とを備えている。孔部１２ａは、乳児１１０を寝かせる方向である中心線Ｌ方向が長円となる楕円形状である。クッション部材１５は、孔部１２ａを覆うように孔部１２ａの周囲に固定され、孔部１２ａの中央に相当する位置にはスリット１５ａが設けられている。スリット１５ａは、乳児１１０の頭部１１１が孔部１２ａに嵌まるように十字形状に切り込まれている。なお、スリット１５ａの形状は、十字形状の他にも、スリット本数を変更した放射状でもよい。スリットに限られず、例えば、後述する変形例のような形状の孔でもよい。適宜の形状を適用してよい。
【００１９】
クッション部材１５には、ウレタン等の弾力性を有する素材が適用される。背支持板１１の他端側には、背支持板１１に対して上面側に折り曲げられるようにして脚支持板１３が設けられている。脚支持板１３は、乳児１１０の股間に位置するように脚支持部４Ｂの内部に差し挟まれて脚支持部４Ｂの形状変化を抑える。一方、背支持板１１及び頭支持板１２は、本体部４Ａに対して設けられ、本体部４Ａの形状変化を抑える。図示の形態では、背板１０は、各支持板１１〜１３が一体的に形成されている。なお、脚支持板１３は、背板１０とは別個の板で設けられていてもよく、背板１０が背支持板１１及び頭支持板１２で構成されていてもよい。図１に示すようにマット部４には、幼児１１０の頭部１１１を置く範囲を示す指標としてステッチライン９が設けられていてもよい。
【００２０】
子守帯１の作用を説明する。図２に示すようにマット部４に乳児１１０を寝かせると、乳児１１０の頭部１１１は背板１０の頭支持板１２の上方に位置する。頭部１１１は、マット部４のクッション材を介して頭支持板１２の孔部１２ａに保持される。図５に頭支持板１２の使用状態を説明する図を示す。実際の使用時には、背板１０はマット部４の内装材として内蔵されるので図示のような使用は想定されていないが、説明の便宜上、頭支持板１２と頭部１１１との関係を図５に示す。マット部４に寝かされた乳児１１０の頭部１１１は、頭支持板１２に取り付けられたクッション部材１５の上に位置し孔部１２ａに嵌まり込む。このとき、乳児１１０の後頭部１１１ａは、背支持面１１ａよりも後退した位置で保持される。クッション部材１５のスリット１５ａにより後頭部１１１ａは孔部１２ａに適度に落ち込むため、底付き感をなくし、かつ安定感が得られる。また、背支持面１１ａよりも後退した位置なので、乳児１１０の頚椎にかかる負荷を低減しつつ、乳児１１０の気道を圧迫するおそれもない。また、背板１０に対して頭部１１１が落ち込むことから、マット部４の下面を子守帯１の使用者１００の手１０１で支えたときに、使用者１００は乳児１１０の頭部１１１の感触が得られる（図２）。これにより、使用者１００は、乳児１１０を支える感覚が得られ、心理的な安心感を得ることができる。
【００２１】
本発明は、上述した形態に限定されることなく、種々の形態にて実施することができる。例えば、本形態では、背板１０とクッション部材１５とが別個の部材として説明したが、これに限られず、保持部１４を一体的に成形してもよい。背板１０の変形例を図６に示す。変形例の背板１０Ａは、変形特性を有する素材で一体的に成形される。なお、背支持板１１及び脚支持板１３の形状は上述した形態と同様なので説明を省略する。頭支持板１２Ａの保持部１４Ａには、乳児１１０の頭部１１１を保持する複数の支え部２１が設けられている。各支え部２１は、頭支持板１２Ａの中心に向かって互いに独立して延びており、頭支持板１２Ａの中心は、各支え部２１で形成される孔部２２が設けられている。孔部２２に乳児１１０の頭部１１１が位置すると、支え部２１に保持されつつ背板１０Ａに対して頭部１１１は落ち込む。支え部２１が頭部１１１の自重により湾曲することで、上述した形態と同様の効果が得られる。保持部１４Ａの形状は十字形状のスリット等でもよく適宜の形状を採用してもよい。
【００２２】
また、保持部１４は、クッション部材１５を設けなくともよく、孔部１２ａのみでもよい。マット部４のクッション材を乳児１１０の頭部１１１の自重に耐え得るような素材とすれば、クッション部材１５と同等の効果を得ることができる。クッション部材１５のスリット１５ａは、必ずしも設ける必要はない。弾力性を有し、頭部１１１の自重に耐え得る素材であればスリット１５ａを設けなくともよい。例えば、クッション部材としてメッシュ素材やネット、布等の伸縮性を有する素材を孔部１２ａに張るように構成してもよい。また、クッション部材としてウレタンを用いた場合、中央を薄くするように構成してもよい。また、クッション部材１５は背板１０の上面側に取り付けられるが、これに限られない。例えば、クッション部材１５が下面側に取り付けられていてもよいし、孔部１２ａの周囲の頭支持板１２をクッション部材１５が挟み込むようにして取り付けられていてもよい。
【符号の説明】
【００２３】
１  子守帯
２  支持具
３  肩ベルト
４  マット部
１０  背板
１１  背支持板（背支持部）
１１ａ  背支持面
１２  頭支持板（頭支持部）
１４  保持部
１１０  乳児
１１１  頭部
１１１ａ  後頭部
１１２  背部（背）
【図１】
0005479813.tif 000002
【図２】
0005479813.tif 000003
【図３】
0005479813.tif 000004
【図４】
0005479813.tif 000005
【図５】
0005479813.tif 000006
【図６】
0005479813.tif 000007